【事件の表示】
　特願２０１４−１６４７２８号「遊技機」拒絶査定不服審判事件〔平成２８年　３月２４日出願公開、特開２０１６−　３９８８２号〕について、次のとおり審決する。
【結　論】
　本件審判の請求は、成り立たない。
【理　由】
第１　手続の経緯
　本願は、平成２６年８月１３日の出願であって、平成２７年９月２８日付けで手続補正がなされたが、平成２７年１１月１６日付け（発送日：平成２７年１１月２４日）で拒絶査定がなされ、これに対して、平成２８年２月２３日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、請求項１の記載は、補正前の、
「【請求項１】
　演出を行う遊技機であって、
　演出の画像を表示する第１の表示手段と、
　前記第１の表示手段との相対位置を変更可能に構成され、演出の画像を表示する第２の表示手段と、
　前記第１の表示手段に対する前記第２の表示手段の相対位置を変更する変更操作に応じて当該第２の表示手段の相対位置を変更する変更手段と、
　所定条件により行われる判定の結果を報知する演出の画像が前記第１の表示手段と前記第２の表示手段とに表示されるように制御する演出制御手段と、
　を備え、
　前記演出制御手段は、前記判定の結果を報知する演出において、前記第２の表示手段が前記第１の表示手段と重なる位置にある場合、当該第２の表示手段に対応する当該第１の表示手段の領域に表示する画像を当該第２の表示手段に表示することを特徴とする遊技機。」から、
補正後の
「【請求項１】
　演出を行う遊技機であって、
　演出の画像を表示する第１の表示手段と、
　前記第１の表示手段との相対位置を変更可能に構成され、演出の画像を表示する第２の表示手段と、
　
所定条件により行われる判定の結果を報知する演出を実行する場合に、
　前記判定の結果を報知する演出の画像が前記第１の表示手段と前記第２の表示手段とに表示されるように制御する演出制御手段と、
　を備え、
　前記演出制御手段は、前記判定の結果を報知する演出において、
前記変更操作に応じる前記第２の表示手段の相対位置の変更により当該
へ補正された（下線部は補正箇所を示す。）。
２．補正の適否
　本件補正によって、請求項１の記載は、上記１．の下線部の構成が付加された。
　すなわち、「前記第１の表示手段に対する前記第２の表示手段の相対位置を変更する変更操作に応じて当該第２の表示手段の相対位置を変更する変更手段」において、「所定条件により行われる判定の結果を報知する演出を実行する場合に、」という条件を付加することで「変更手段」の構成を限定するとともに、「第２の表示手段が前記第１の表示手段と重なる位置にある場合、当該第２の表示手段に対応する当該第１の表示手段の領域に表示する画像を当該第２の表示手段に表示すること」において、「前記変更操作に応じる前記第２の表示手段の相対位置の変更により」という条件を付加することで「演出制御手段」の構成を限定するものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、願書に最初に添付した明細書の段落０５５８の記載および図３−２８−１〜図３−２８−３の図示内容から導かれるものであり、新規事項を追加するものではない。
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１．の補正の概要において示した次のとおりのものである。
「演出を行う遊技機であって、
　演出の画像を表示する第１の表示手段と、
　前記第１の表示手段との相対位置を変更可能に構成され、演出の画像を表示する第２の表示手段と、
　
所定条件により行われる判定の結果を報知する演出を実行する場合に、
　前記判定の結果を報知する演出の画像が前記第１の表示手段と前記第２の表示手段とに表示されるように制御する演出制御手段と、
　を備え、
　前記演出制御手段は、前記判定の結果を報知する演出において、
前記変更操作に応じる前記第２の表示手段の相対位置の変更により当該
（２）刊行物に記載された事項
　原査定の拒絶の理由に引用された本願の出願前に頒布された刊行物である「特開２０１４−１２８４８０号公報」（以下、「刊行物１」という。）には、図面と共に次の事項が記載されている（下線は当審で付した。）。
（ア）「【発明の詳細な説明】
【技術分野】
【０００１】
　本発明は、遊技機に関する。
【背景技術】
【０００２】
　ぱちんこ機等の遊技機では、遊技媒体を用いて行う遊技では
始動口と呼ばれる入賞口に遊技球が入球することによって開始される特典（大当たり）の抽選処理が行われる。この遊技機では、抽選処理の抽選結果に基づく演出によって報知する際、当該演出における演出画像を表示装置に表示することで遊技者を視覚的に楽しませ、より高い興趣の提供を行っている。
【０００３】
　このときの表示装置には演出に基づく演出画像を表示しており、役物と呼ばれる遊技機を装飾する装飾装置とその演出画像とを連動させることによって、遊技者に対してより高い興趣を提供している。」
（イ）「【発明を実施するための形態】
【００１４】
　以下、本発明に係わる遊技機の一実施例を添付図面を参照して詳細に説明する。
【実施例】
【００１５】
　図１は、本発明の実施の形態における遊技機を適用して構成した遊技機１の装置構成図の一例であって、図２は、本発明のガラス枠を開放させた状態の遊技機１の斜視図であり、図３は、１つの遊技機１の裏面側の斜視図である。
・・・
【００３７】
　また、遊技領域６の中央には、遊技球の流下に影響を与える飾り部材７が設けられている。
この飾り部材７の略中央部分には、ＬＣＤ（Liquid Crystal Display）等によって構成される第１液晶表示装置３１（以下、「メイン液晶」とも称する）が設けられ
【００３８】
　
この第１液晶表示装置３１に正対して左側には第１液晶表示装置３１に比べて小さいサイズの第２液晶表示装置３７ａ（３３ｂ）（以下、「第２液晶表示装置３７ａ」を「第１サブ液晶３７ａ」とも称する）が設けられており、この第１液晶表示装置３１に正対して右側には第３液晶表示装置３７ｂ（３３ｃ）（以下、「第３液晶表示装置３７ｂ」を「第２サブ液晶３７ｂ」とも称する）が設けられている。
・・・
【００５２】
　ここで、「
大当たりの抽選」とは、第１始動口１４または第２始動口１５に遊技球が入球したときに、
判定する処理をいう。この大当たりの抽選結果は即座に遊技者に報知されるわけではなく、第１特別図柄表示装置２０において特別図柄が点滅等の変動表示を行い、所定の変動時間を経過したところで、大当たりの抽選結果に対応する特別図柄が停止表示して、遊技者に抽選結果が報知される
（ウ）「【０１６２】
　この
「変動演出パターン」とは、特別図柄の変動中に行われる演出内容（第１液晶表示装置３１、音声出力装置３２、演出用駆動装置３３、演出用照明装置３４、第２液晶表示装置３７ａ、第３液晶表示装置３７ｂ）における具体的な演出態様をいう。例えば、第１液晶表示装置３１および第２液晶表示装置３７ａおよび第３液晶表示装置３７ｂにおいては、この変動演出パターンによって表示される背景の表示態様、キャラクタの表示態様、演出図柄３８の変動態様が決定される。
【０１６３】
　また、本実施形態でいう「リーチ」とは、特別遊技に移行することを報知する演出図柄３８の組合せの一部が停止表示され、他の演出図柄３８が変動表示を行っている状態をいう。例えば、大当たり遊技に移行することを報知する演出図柄３８の組合せとして「７７７」の３つの演出図柄３８の組み合わせが設定されている場合に、２つの演出図柄３８が「７」で停止表示され、残りの演出図柄３８が変動表示を行っている状態を「リーチ」という。
【０１６４】
　このようにして、変動パターン指定コマンドおよび演出用乱数値１を元に、サブＣＰＵ１２０ａが変動演出パターンを決定すると、
サブＣＰＵ１２０ａは、この変動演出パターンに対応する演出パターン指定コマンドを特定して後述する画像制御基板１５０の液晶制御ＣＰＵ１５０ａに送信する。
（エ）「【０１８２】
　さらに、
液晶制御ＣＰＵ１５０ａは、
可動させる
この装飾装置３３ａおよび第２液晶表示装置３７ａおよび第３液晶表示装置３７ｂと第１液晶表示装置３１または第２液晶表示装置３７ａまたは第３液晶表示装置３７ｂの少なくとも２つに表示した演出画像とを連動させる処理を行う。
【０１８３】
　図１３は、本発明の実施の形態における遊技機の画像制御基板で描画された演出画像と装飾装置とを連動させる役物連動テーブルおよび連動する装飾装置の動作情報を指定した動作情報指定テーブルの一例を示す図である。
【０１８４】
　
図１３（ａ）には、装飾装置３３ａおよび第２液晶表示装置３７ａおよび第３液晶表示装置３７ｂを他の装置および第１液晶表示装置３１に表示する演出画像と連動させる際に用いる役物連動テーブルを示している。
連動させる際に移動した
【０１８５】
　図１３（ａ）に示す役物連動テーブルは、図１２に示すアニメーション情報決定テーブルと同様、液晶制御ＲＯＭ１５０ｃに記憶されている。役物連動テーブルは、演出制御基板１２０から受信した演出パターン指定コマンドに基づく演出内容において
第１液晶表示装置３１および第２液晶表示装置３７ａおよび第３液晶表示装置３７ｂに表示する演出画像と、装飾装置３３ａや第２液晶表示装置３７ａや第３液晶表示装置３７ｂとを連動させる
（オ）「【０２０３】
　図３４（ａ）は、第２液晶表示装置３７ａの変更過程を示しており、図３４（ｂ）は、第３液晶表示装置３７ｂの変更過程を示している。これらの変更過程は、「形態１」から「形態２」および「形態３」を介して「形態４」に至るまでの変更過程である。
【０２０４】
　図３４（ａ）において、
第２液晶表示装置３７ａの初期状態である「形態１−１」から右方向に平行移動させて「形態２−１」へと変更した状態を示している。このときの「形態１−１」と「形態２−１」とは図３３（ａ）および図３３（ｂ）において距離「Ｋ１」だけ離れていることから、この距離「Ｋ１」だけ右へ平行移動させた状態が「形態２−１」である。
【０２０５】
　
この「形態２−１」から右直角回転（９０度反時計回り）させることによって、第２液晶表示装置３７ａは、「形態３−１」へと変更される。この「形態３−１」から右方向に移動させることによって「形態４−１」へと変更させている。このときの「形態３−１」と「形態４−１」とは図３３（ｃ）および図３３（ｄ）において距離「Ｋ２」だけ離れていることから、この距離「Ｋ２」だけ右へ平行移動させた状態が「形態４−１」である。
【０２０６】
　そして、これらを逆順に変更させることによって初期状態である「形態１−１」まで変更させる。
【０２０７】
　図３４（ｂ）において、第３液晶表示装置３７ｂの初期状態である「形態１−２」から左方向に平行移動させて「形態２−２」へと変更した状態を示している。このときの「形態１−２」と「形態２−２」とは図３３（ａ）および図３３（ｂ）において距離「Ｋ１」だけ離れていることから、この距離「Ｋ１」だけ左へ平行移動させた状態が「形態２−２」である。
【０２０８】
　この「形態２−２」から左直角回転（９０度時計回り）させることによって、第３液晶表示装置３７ｂは、「形態３−２」へと変更される。この「形態３−２」から左方向に移動させることによって「形態４−２」へと変更させている。このときの「形態３−２」と「形態４−２」とは図３３（ｃ）および図３３（ｄ）において距離「Ｋ２」だけ離れていることから、この距離「Ｋ２」だけ左へ平行移動させた状態が「形態４−２」である。
【０２０９】
　そして、これらを逆順に変更させることによって初期状態である「形態１−２」まで変更させる。」
（カ）「【０２１０】
　また、
図３３（ａ）に
左演出図柄、右演出図柄、中演出図柄の３つの演出図柄３８を変動表示した状態を第１液晶表示装置３１に示している。
【０２１１】
　
図３３（ｂ）および図３３（ｃ）に示す第２液晶表示装置３７ａには、左演出図柄の演出図柄３８を変動表示しており、第３液晶表示装置３７ｂには、右演出図柄の演出図柄３８を変動表示した状態を示している。
【０２１２】
　図３３（ｄ）に示す第１液晶表示装置３１には、演出における全体の全体背景画像のほか３つの演出図柄３８を変動した状態で表示し、第２液晶表示装置３７ａおよび第３液晶表示装置３７ｂには、演出に用いられるキャラクタ画像と背景画像とを表示している。このとき、図３３（ｄ）に示す第２液晶表示装置３７ａで表示している背景画像は、第１液晶表示装置３１に正対したときにこの第１液晶表示装置３１と第２液晶表示装置３７ａとが重なる部分における画像を示している。図３３（ｄ）に示す第３液晶表示装置３７ｂで表示している背景画像は、第１液晶表示装置３１に正対したときにこの第１液晶表示装置３１と第３液晶表示装置３７ｂとが重なる部分における画像を示している。
【０２１３】
　このときの第１液晶表示装置３１および第２液晶表示装置３７ａおよび第３液晶表示装置３７ｂに示す画像は、第２液晶表示装置３７ａおよび第３液晶表示装置３７ｂにおける各形態において表示される演出画像の一例を示すものである。」
（キ）上記（イ）には、第１始動口１４または第２始動口１５に遊技球が入球したときに、大当たり抽選を行い、特別図柄の変動表示を行い、遊技者に抽選結果を報知することが記載されているといえる。
　上記（ウ）には、「変動演出パターン」とは、特別図柄の変動中に行われる演出内容であり、例えば、第１液晶表示装置３１および第２液晶表示装置３７ａおよび第３液晶表示装置３７ｂにおいては、この変動演出パターンによって表示される背景の表示態様、キャラクタの表示態様、演出図柄３８の変動態様が決定されることが記載されている。そして、この「変動演出パターン」は「抽選結果を報知する演出」といえる。
　上記（エ）には、液晶制御ＣＰＵ１５０ａは、第１液晶表示装置３１、第２液晶表示装置３７ａ、第３液晶表示装置３７ｂを連動させる演出を行うことが記載されている。また、第２液晶表示装置３７ａおよび第３液晶表示装置３７ｂは第１液晶表示装置３１に対し連動する際に移動することも記載されている。
　したがって、「抽選結果を報知する演出」として、第２液晶表示装置３７ａおよび第３液晶表示装置３７ｂは第１液晶表示装置３１に対し連動する際に移動し、また、「抽選結果を報知する演出の画像」は、第１液晶表示装置３１、第２液晶表示装置３７ａ、第３液晶表示装置３７ｂを用いて液晶制御ＣＰＵ１５０ａに制御されているといえる。
　以上より、刊行物１には、
第１始動口１４または第２始動口１５に遊技球が入球したときに、大当たり抽選を行い、抽選結果を報知する演出を、第２液晶表示装置３７ａおよび第３液晶表示装置３７ｂを第１液晶表示装置３１に対し移動して行うとともに、該抽選結果を報知する演出の画像は、（特別図柄の変動に対応して）第１液晶表示装置３１および第２液晶表示装置３７ａおよび第３液晶表示装置３７ｂを用いて液晶制御ＣＰＵ１５０ａにより制御されること
（ク）上記（オ）、（カ）を参考にして、【図３３】を見ると、【図３３】（ａ）における第１液晶表示装置３１、第２液晶表示装置３７ａ、第３液晶表示装置３７ｂの位置関係から、【図３３】（ｂ）において、第２液晶表示装置３７ａおよび第３液晶表示装置３７ｂは第１液晶表示装置３１に対し
平行移動して
回転し、
　したがって、【図３３】（ｄ）は、【図３３】（ｂ）、（ｃ）の第２液晶表示装置３７ａおよび第３液晶表示装置３７ｂが平行移動等をした後のものであり、
第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示するとともに、第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示している
　この【図３３】における、第１液晶表示装置３１、第２液晶表示装置３７ａ、第３液晶表示装置３７ｂの演出は、上記（キ）の抽選結果を報知する演出であり、液晶制御ＣＰＵ１５０ａにより
制御
　上記（ア）〜（カ）の記載事項（キ）、（ク）の認定事項を総合すると、刊行物１には次の発明（以下、「引用発明」という。）が記載されている。
「演出を行う遊技機であって、
　演出の画像を表示する第１液晶表示装置３１と、
前記１液晶表示装置３１に対して移動可能であり、演出の画像を表示する第２液晶表示装置３７ａおよび第３液晶表示装置３７ｂと、
　第１始動口１４または第２始動口１５に遊技球が入球したときに、大当たり抽選を行い、抽選結果を報知する演出を、第２液晶表示装置３７ａおよび第３液晶表示装置３７ｂを第１液晶表示装置３１に対し移動して行うとともに、
　該抽選結果を報知する演出の画像を第１液晶表示装置３１および第２液晶表示装置３７ａおよび第３液晶表示装置３７ｂを用いて制御する液晶制御ＣＰＵ１５０ａと、
　を備え
　前記液晶制御ＣＰＵ１５０ａは、該抽選結果を報知する演出において、第２液晶表示装置３７ａおよび第３液晶表示装置３７ｂが移動した後、第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示するとともに、第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示するように制御した
　遊技機」
（３）対比
　本願補正発明と引用発明とを対比する。
（ａ）引用発明の「第１液晶表示装置３１」は、本願補正発明の「第１の表示手段」に相当する。また、引用発明の「第２液晶表示装置３７ａ」及び「第３液晶表示装置３７ｂ」は、本願補正発明の「第２の表示手段」に相当する。
　そして、引用発明の「移動可能」であることは、本願補正発明の「相対位置を変更可能」であることと技術的に同じである。
（ｂ）引用発明の「第１始動口１４または第２始動口１５に遊技球が入球したとき」は、本願補正発明の「所定条件」に相当するから、引用発明の「抽選結果を報知する演出」は、本願補正発明の「判定の結果を報知する演出」に相当する。
　そして、引用発明の「第２液晶表示装置３７ａおよび第３液晶表示装置３７ｂを第１液晶表示装置３１に対し移動」は、本願補正発明の「第１の表示手段に対する前記第２の表示手段の相対位置を変更」に相当する。また、引用発明の「抽選結果を報知する演出の画像を第１液晶表示装置３１および第２液晶表示装置３７ａおよび第３液晶表示装置３７ｂを用いて制御する液晶制御ＣＰＵ１５０ａ」は、本願補正発明の「判定の結果を報知する演出の画像が前記第１の表示手段と前記第２の表示手段とに表示されるように制御する演出制御手段」に相当する。
　
（Ｃ）引用発明の「抽選結果を報知する演出において、第２液晶表示装置３７ａおよび第３液晶表示装置３７ｂが移動」することは、本願補正発明の「判定の結果を報知する演出において」、「前記第２の表示手段の相対位置を変更」することに相当する。
　そして、引用発明の「第２液晶表示装置３７ａで表示している背景画像は、第１液晶表示装置３１に正対したとき」と「第３液晶表示装置３７ｂで表示している背景画像は、第１液晶表示装置３１に正対したとき」は、本願補正発明の「第２の表示手段が前記第１の表示手段と重なる位置にある場合」に相当する。
　したがって、第２の表示手段が相対位置を変更することを前提とした上で、引用発明の「第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示する」とともに「第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示し」は、本願補正発明の「当該第２の表示手段が前記第１の表示手段と重なる位置にある場合、当該第２の表示手段に対応する当該第１の表示手段の領域に表示する画像を当該第２の表示手段に表示する」に相当する。
　そうすると、上記（ａ）〜（ｃ）の対比から、両者は、
「演出を行う遊技機であって、
　演出の画像を表示する第１の表示手段と、
　前記第１の表示手段との相対位置を変更可能に構成され、演出の画像を表示する第２の表示手段と、
　所定条件により行われる判定の結果を報知する演出実行する場合に、前記第１の表示手段に対する前記第２の表示手段の相対位置を変更し、
　前記判定の結果を報知する演出の画像が前記第１の表示手段および前記第２の表示手段を用いて行う演出制御手段と、
　を備え、
　前記演出制御手段は、前記判定の結果を報知する演出において、前記第２の表示手段の相対位置の変更により、当該第２の表示手段が前記第１の表示手段と重なる位置にある場合、当該第２の表示手段に対応する当該第１の表示手段の領域に表示する画像を当該第２の表示手段に表示するように制御する遊技機。」
である点で一致し、次の点で相違する。
（相違点１）
　所定条件により行われる判定の結果を報知する演出実行する場合、前記第１の表示手段に対する前記第２の表示手段の相対位置を変更する際に、本願補正発明は、変更操作に応じて当該第２の表示手段の相対位置を変更する変更手段を備えているが、引用発明はそのような特定がなされていない点。
（相違点２）
　第２の表示手段が前記第１の表示手段と重なる位置となるのが、本願補正発明は、前記変更操作に応じる前記第２の表示手段の相対位置の変更によるのに対し、引用発明は、そのような特定がなされていない点。
（４）判断
　前記相違点１、２について検討する。
　第１表示手段（第１画像表示器）、第２表示手段（第２画像表示器）のような複数の表示手段を備えた遊技機において、判定結果を報知する演出で、第２表示手段を第１表示手段に対し相対位置を変更操作させる変更手段を設け、変更操作に応じ、第２表示手段を移動させ第１表示手段を第２表示手段に重ねるようにすることは、例えば、特開２０１２−１９９３９号公報（【００１４】等参照）、特開２０１２−１９８３０号公報（【請求項１】等参照）、特開２０１２−１６５３７号公報（【請求項１】等参照）に記載されているように周知技術である。
　そして、引用発明も前記周知技術も複数の表示手段を備え、表示手段を移動可能として効果的な演出を行うことを目的としているものであるから、引用発明に前記周知技術を採用し、前記相違点１及び相違点２に係る本願補正発明の各構成とすることは当業者であれば容易になし得ることである。
　
　また、本願補正発明の効果は、引用発明、前記周知技術からみて格別なものではない。
　よって、本願補正発明は引用発明及び前記周知技術に基づいて当業者が容易に発明できたものであり、特許法第２９条第２項の規定に基づいて特許出願の際独立して特許を受けることができない。
（５）審判請求人の主張について
　なお、審判請求人は請求書において、「これに対し、補正後の本願発明は、「前記演出制御手段は、前記判定の結果を報知する演出において、前記変更操作に応じる前記第２の表示手段の相対位置の変更により当該第２の表示手段が前記第１の表示手段と重なる位置にある場合、当該第２の表示手段に対応する当該第１の表示手段の領域に表示する画像を当該第２の表示手段に表示する」という構成を備えている。引用文献１のサブ液晶は、外部からの操作を受け付けることなく移動するものである（段落０１９４〜段落０２１２、図３３〜図３４および図１３参照）。 
　本願発明は、引用文献１にはない上述の構成により、遊技者による積極的な変更操作により第２の表示手段が移動するという演出を行うことによって遊技者に遊技の楽しみを付与することができ、遊技者が遊技する際に遊技の興趣性を更に高めることが可能になる。このような本願発明による効果は、引用文献１に記載されている構成では奏することができない特有な効果であるといえる。」と主張している。
　しかしながら、「遊技者による積極的な変更操作により第２の表示手段が移動するという演出」は、前述したように遊技機において周知技術にすぎない。
　したがって、請求人の主張は採用できない。
４　むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１に係る発明（以下、「本願発明」という。）は、平成２７年９月２８日付けの手続補正書により補正された請求項１に記載された事項により特定された次のとおりのものである。
「【請求項１】
　演出を行う遊技機であって、
　演出の画像を表示する第１の表示手段と、
　前記第１の表示手段との相対位置を変更可能に構成され、演出の画像を表示する第２の表示手段と、
　前記第１の表示手段に対する前記第２の表示手段の相対位置を変更する変更操作に応じて当該第２の表示手段の相対位置を変更する変更手段と、
　所定条件により行われる判定の結果を報知する演出の画像が前記第１の表示手段と前記第２の表示手段とに表示されるように制御する演出制御手段と、
　を備え、
　前記演出制御手段は、前記判定の結果を報知する演出において、前記第２の表示手段が前記第１の表示手段と重なる位置にある場合、当該第２の表示手段に対応する当該第１の表示手段の領域に表示する画像を当該第２の表示手段に表示することを特徴とする遊技機。」
　
１．刊行物
　原査定の拒絶の理由に引用された刊行物１の記載事項、引用発明は、上記第２の３．（２）に記載したとおりである。
　
２．対比・判断
　本願発明は本願補正発明に対し、上記第２の１．における下線部を省略したものに相当する。
　そして、本願発明と引用発明を前記第２の３．（３）を参考にして対比すると、以下の点で相違し、残余の点で一致する。
（相違点）
　前記第１の表示手段に対する前記第２の表示手段の相対位置を変更する際に、本願発明は、変更操作に応じて当該第２の表示手段の相対位置を変更する変更手段を備えているが、引用発明はそのような特定がなされていない点。
　そこで、前記相違点について検討する。
　前記第２の（４）で検討したとおり、第１表示手段（第１画像表示器）、第２表示手段（第２画像表示器）のような複数の表示手段を備えた遊技機において、第２表示手段を第１表示手段に対し相対位置を変更操作させる変更手段を設けることは周知技術である。
　そして、引用発明も前記周知技術も複数の表示手段を備え、効果的な演出を目的としているものであるから、引用発明に前記周知技術を採用し、前記相違点に係る本願発明の構成とすることは当業者であれば容易になし得ることである。
　また、本願発明の効果は、引用発明、前記周知技術からみて格別なものではない。
　よって、本願発明は引用発明及び前記周知技術に基づいて当業者が容易に発明できたものであり、特許法第２９条第２項の規定に基づいて特許を受けることができない。
　また、前記相違点について更に検討すると、本願発明は、変更操作に応じて当該第２の表示手段の相対位置を変更する変更手段を備えているが、この「変更操作」は、「遊技者によるボタン操作等」であるとは、本願発明には特定されていない。
　したがって、「変更操作」という特定だけでは、遊技機自体が画像演出に連動し変更操作するような構成も含まれると解釈できる。また、「変更手段」については、第２表示手段を駆動させるものであるから、摘記はしていないが、刊行物１にも当然記載されているものである。
　そうすると、前記相違点に係る本願発明の構成は、引用発明に対し、実質的な相違点とはいえず、本願発明は引用発明と同一であり、刊行物１に記載された発明であるということができる。
３．むすび
　以上のとおり、本願発明は、特許法第２９条第１項第３号の規定に該当し、又は特許法第２９条第２項の規定により特許を受けることができないものである。
　よって、結論のとおり審決する。